(57)【要約】【課題】ラベルに印字された産地別にそのラベルの発行実績を管理できるようにする。【解決手段】商品名，値段等が印字されたラベルを発行するラベル発行装置において、ラベルに、商品名，値段等とともにその商品の産地名を印字させることを可能とし、産地名が印字されたラベルを発行した場合、産地別加算メモリに、このラベルの発行実績データをそのラベルに印字された産地別に集計する。そして、この集計結果を例えばディスプレイに一覧表示させる。【選択図】　　図５
2004010090.tif 000002
【特許請求の範囲】
【請求項１】
商品名，値段等が印字されたラベルを発行するラベル発行装置において、
前記ラベルに商品の産地名を印字させる産地印字制御手段と、
この産地印字制御手段により産地名が印字されたラベルの発行実績データをそのラベルに印字された産地別に集計する産地別集計手段とを具備したことを特徴とするラベル発行装置。
【請求項２】
商品名，値段等が印字されたラベルを発行するラベル発行装置において、
ラベル発行する商品を指定する商品指定手段と、
前記商品の産地を指定する産地指定手段と、
前記商品指定手段により商品が指定されるとともに前記産地指定手段により産地が指定されると、前記ラベルに、指定された商品の商品名及び価格とともに指定された産地の産地名を印字させる産地印字制御手段と、
この産地印字制御手段により産地名が印字されたラベルの発行実績データをそのラベルに印字された産地別に集計する産地別集計手段とを具備したことを特徴とするラベル発行装置。
【請求項３】
前記産地別集計手段により産地別に集計した発行実績データを出力する産地別発行実績出力手段を備えたことを特徴とする請求項１または２に記載のラベル発行装置。
【発明の詳細な説明】
【０００１】
【発明の属する技術分野】
本発明は、商品に貼付され、その商品の品名，値段等の表示を行うラベルを印字発行するラベル発行装置に関する。
【０００２】
【従来の技術】
従来のラベル発行装置は、商品の品番が入力されると、その品番に対応して予め設定されている商品名等の商品データを読み出し、この商品データに基づいてラベル印字データを編集する。そして、このラベル印字データをプリンタによりラベル用紙に印字出力して、商品に貼付するラベルを発行していた。また、商品別または部門，クラス等の商品分類別に点数，金額等のデータを加算する加算メモリを設け、ラベルを１枚印字発行する毎に、該当する商品または商品分類の点数データに発行枚数＝１を加算し、また、金額データにそのラベルに印字された値段を加算して、ラベルの発行実績を管理していた。
【０００３】
ところで、肉，魚，野菜等の生鮮食品の場合、同一商品であっても産地によって価値が異なる。例えば品質がよいと多くの消費者から信頼されている産地の牛肉と他の産地の牛肉とでは、前者の方が後者よりも高価値で販売することができる。そこで、予め複数の産地コードに対応して異なる産地名を設定しておき、商品の品番入力とともに産地コードが入力されると、その産地コードに対応して設定されている産地名データを読み出し、ラベル印字データに組み込むようにして、商品名，値段等とともに産地名が印字されたラベルを発行するようにしたラベル発行装置が実用化されている。
【０００４】
【発明が解決しようとする課題】
しかしながら、従来のこの種のラベル発行装置は、商品別または商品分類別にラベルの発行実績を集計することはできたものの、産地別にラベルの発行実績を管理することはできなかった。
【０００５】
このため、消費者は、一般に商品を見ただけでは産地の違いを見分けることが困難であり、商品に貼付されたラベルの産地名を見て、その商品の産地を認識していたので、食品加工業者や販売店において、実際の産地とは異なる産地名をラベルに印字させて価値を不当に高めることにより、仕入価格が安い商品を高価格で販売して利益を得る不正がまかり通っていた。
【０００６】
本発明はこのような事情に基づいてなされたものであり、その目的とするところは、ラベルに印字された産地別にそのラベルの発行実績を管理できるラベル発行装置を提供しようとするものである。
【０００７】
【課題を解決するための手段】
本発明は、商品名，値段等が印字されたラベルを発行するラベル発行装置において、ラベルに、商品名，値段等とともにその商品の産地名を印字させることを可能とし、産地名が印字されたラベルを発行した場合、このラベルの発行実績データをそのラベルに印字された産地別に集計するようにしたものである。
このような構成により、産地名が印字されたラベルの発行実績データが、そのラベルに印字された産地別に集計される。
【０００８】
【発明の実施の形態】
以下、本発明の一実施の形態を図面を用いて説明する。
なお、この実施の形態は、商品を計量しその内容量により値段を算出して、ラベルを印字発行する計量ラベル発行装置に本発明を適用した場合である。
【０００９】
はじめに、本実施の形態の計量ラベル発行装置から印字発行されるラベルの一例を図１に示す。一方のラベル１ａは、単価が７００円に設定された米沢産牛肩肉のラベルであり、商品名「牛肩肉」，品番「１」，加工日「１４．５．３１」，消費期限「１４．６．１」，単価「７００」，内容量「５４８」，値段「３８３６」等ともに産地名「米沢産」が印字されている。他方のラベル１ｂは、単価が５００円に設定されたオーストラリア産牛肩肉のラベルであり、同じく商品名「牛肩肉」，品番「１」，加工日「１４．５．３１」，消費期限「１４．６．１」，単価「５００」，内容量「５４８」，値段「２７４０」等ともに産地名「オーストラリア産」が印字されている。
【００１０】
図２は計量ラベル発行装置の要部構成を示すブロック図である。この装置は、制御部本体としてＣＰＵ（Ｃｅｎｔｒａｌ　Ｐｒｏｃｅｓｓｉｎｇ　Ｕｎｉｔ）１１を備えている。そして、このＣＰＵ１１に、アドレスバス，データバス等のバスライン１２を介して、プログラム等の固定的データが予め格納されたＲＯＭ（Ｒｅａｄ　Ｏｎｌｙ　Ｍｅｍｏｒｙ）１３、各種のデータを一時的に格納するワークメモリやカウンタｎ等が形成されたＲＡＭ（Ｒａｎｄｏｍ　Ａｃｃｅｓｓ　Ｍｅｍｏｒｙ）１４及び現在の日付及び時刻を計時する時計部１５、通信回線を介して上位のコンピュータに接続される通信インタフェース１６、テンキーや各種ファンクションキーが配設されたキーボード１７からキー入力データを取り込むキーボードコントローラ１８、液晶ディスプレイ等のディスプレイ装置１９へのデータ表示を制御する表示コントローラ２０、ラベル用紙にラベル印字データを印字してラベル発行を行うプリンタ２１の印字発行動作を制御するプリンタコントローラ２２、ロードセルユニット２３から重量データを取り込む秤インタフェース２４、各種センサ２５と信号の受渡しを行うＩ／Ｏポート２６等を接続して、計量ラベル発行装置の内部回路を構成している。
【００１１】
かかる構成の計量ラベル発行装置は、特に、図３に示す構成の品番ファイル３１、産地テーブル３２及び産地別加算メモリ３３をＲＡＭ１４に形成している。
【００１２】
品番ファイル３１は、各商品の種類毎に割当設定された品番の順に、対応する商品種の品名，消費期間，点数，重量及び金額の各項目データを記憶するエリアである。ここで、消費期間は、対応する商品種に属する商品の加工日から消費期限日までの期間である。点数は、対応する商品種の商品に付されるラベルの発行枚数であり、重量は、この発行枚数分のラベルに印字された内容量の総重量であり、金額は、同ラベルに印字された値段の総額である。
【００１３】
産地テーブル３２は、各商品の産地毎に割当設定された産地コードの順に、対応する産地の産地名を記憶するエリアである。
【００１４】
産地別加算メモリ３３は、産地コード，品番，点数，重量及び金額の各項目空なるレコードを蓄積記憶するエリアである。
【００１５】
図４は計量ラベル発行装置のＣＰＵ１１が制御するラベル発行動作の制御手順を示す流れ図である。先ずＣＰＵ１１は、ＳＴ（ステップ）１としてラベル発行対象商品の品番が入力されるのを待機する。そして、キーボード１７のキー入力により品番ファイル３１に設定されている品番が入力されると（商品指定手段）、ＳＴ２としてこの品番に対応する品名及び消費期間の品番データを品番ファイル３１から読み出し、品番とともにワークメモリに記憶する。また、ディスプレイ装置１９に品番及び品名を表示させる。
【００１６】
次に、ＳＴ３として当該商品の単位重量当りの単価が入力されるのを待機する。そして、キーボード１７のキー入力により単価データが入力されると、ＳＴ４としてこの単価データをワークメモリに記憶する。また、ディスプレイ装置１９に単価を表示させる。
【００１７】
次に、ＳＴ５として当該商品の産地コードが入力されるか、ＳＴ７としてラベル発行枚数が入力されるのを待機する。ここで、キーボード１７のキー入力により産地テーブル３２に設定されている産地コードが入力された場合には（産地指定手段）、ＳＴ６としてこの産地コードに対応する産地名を産地テーブル３２から読み出し、産地コードともにワークメモリに記憶する。そして次に、ラベル発行枚数が入力されるのを待機する。
【００１８】
一方、キーボード１７のキー入力によりラベル発行枚数が入力された場合には、産地コードが入力されているか否かに拘らず、ＳＴ８としてそのラベル発行枚数をカウンタｎにセットする。そして、ＳＴ９として商品の計量が行われるのを待機する。ここで、ロードセルユニット２３にて計量された重量データを取り込むと、ＳＴ１０としてこの重量データとワークメモリ内の商品名，消費期間，産地名，単価等のデータとに基づいてラベル印字データを編集する。例えば、重量データと単価データとから値段を算出し、さらにこの値段と品番とからバーコードを作成する。また、時計部１５にて計時されている現在日付と消費期間とから加工日と消費期限日とを算出する。そして、品名，産地名，消費期限日，加工日，バーコード，単価，品番，内容量，値段等の各項目データによりバーコード印字データを編集する。こうして、バーコード印字データを作成したならば、ＳＴ１１としてこのバーコード印字データをプリンタ２１に出力して、ラベル印字及び発行を行わせる（産地印字制御手段）。
【００１９】
その後、ＣＰＵ１１は、ＳＴ１２として発行されたラベルに産地名が割り当てられているか否かを判断する。ここで、ワークメモリ内に産地コードのデータが格納されているときには産地名の割当有りと判断し、格納されていない場合には産地名の割当無しと判断する。
【００２０】
産地名の割当有りと判断した場合には、ＳＴ１３として産地別加算メモリ３３を検索し、ワークメモリ内の産地コードと品番とが一致するレコードの有無を判定する。ここで、ＳＴ１４として該当するレコードが産地別加算メモリ３３に存在しないと判定した場合には、ＳＴ１５として産地別加算メモリ３３にワークメモリ内の産地コードと品番がセットされた新規レコードを追加する。該当するレコードが産地別加算メモリ３３に存在すると判定した場合には、ＳＴ１５の処理は行わない。
【００２１】
その後、ＳＴ１６として産地別加算メモリ３３の該当するレコード（ワークメモリ内の産地コードと品番とが一致するレコード）に、点数＝１と、ワークメモリ内の重量と、同重量と単価とから算出した値段とをそれぞれ加算する（産地別集計手段）。しかる後、ＳＴ１７の処理に進む。
【００２２】
一方、ＳＴ１２にて産地割当なしと判断した場合には、直ちにＳＴ１７の処理に進む。ＳＴ１７では、ワークメモリ内の品番と一致する品番ファイル３１のレコードに、同じく、点数＝１と、ワークメモリ内の重量と、同重量と単価とから算出した値段とをそれぞれ加算する。その後、ＳＴ１８としてカウンタｎを“１”だけ減算する。そして，ＳＴ１９としてカウンタｎが“０”になったか否かを判断する。ここで、カウンタｎが“０”より大きい場合には、ＳＴ９の処理に戻る。
【００２３】
これに対し、カウンタｎが“０”になった場合には、ラベル発行枚数分のラベルが発行されたので、ワークメモリをクリアして、この処理を終了する。
【００２４】
このように本実施の形態においては、ラベル発行対象商品の品番，単価及び発行枚数を指定入力するとともに、その商品の産地に該当する産地コードを指定入力することによって、品名，値段等とともに産地名が割り当てられたラベルを印字発行することができる。
【００２５】
例えば、品番ファイル３１及び産地テーブル３２にそれぞれ図３に示すデータが設定されていた場合において、品番「１」，単価「７００」，産地コード「１」，発行枚数「１」の順でキー入力し、パック詰め加工された商品「牛肩肉」の計量を行うと、その内容量が５４８グラムのとき、図１（ａ）に示す内容の「米沢産牛肩肉」のラベル１ａが１枚印字発行される。同様に、品番「１」，単価「５００」，産地コード「２」，発行枚数「１」の順でキー入力し、パック詰め加工された商品「牛肩肉」の計量を行うと、その内容量が５４８グラムのとき、図１（ｂ）に示す内容の「オーストラリア産牛肩肉」のラベル１ｂが１枚印字発行される。
【００２６】
また、産地別加算メモリ３３には、産地名が印字されたラベルの発行枚数（点数）と、そのラベルに印字された内容量の総量（重量）及び値段の総額（金額）の発行実績データが産地コード別かつ品番別に集計される。そして、この産地別加算メモリ３３において産地コード別かつ品番別に集計された産地名付ラベルの発効実績データは、キーボード１７の点検キー入力により産地別点検業務の実行が指令されると、ＣＰＵ１１の制御により、図５に示すように、ディスプレイ装置１９に一覧表示される。また、上位コンピュータから産地別実績データの収集コマンドが入力されると、ＣＰＵ１１の制御により産地別加算メモリ３３のデータが上位コンピュータに送信される（産地別発行実績出力手段）。
【００２７】
このように本実施の形態によれば、産地名が割り当てられたラベルの発行枚数や総重量等の発行実績データを産地別に集計することができる。したがって、この集計結果を確認することによって、パック詰め加工された商品の産地とその量とを容易に確認することができる。その結果、実際に仕入れた商品の伝票内容等と本実施の形態のラベル発行装置から得られた産地別実績データとを照合することによって、実際の産地とは異なる産地名をラベルに印字させる不正が行なわれた場合には、その不正を確実に発見することができる。よって、この種の不正がまかり通らなくなるので、社会的効果は大きい。
【００２８】
また、上位コンピュータから定期的に要求コマンドを出力することにより、上位コンピュータが置かれた本部等において、本実施の形態のラベル発行装置を使用したパック詰作業の状況を的確に監視できる効果を奏する。
【００２９】
なお、前記実施の形態では、産地別発行実績出力手段としてディスプレイ装置１９への一覧表示出力と、上位コンピュータへの送信出力とを示したが、フレキシブルディスク，メモリカード等のコンピュータ読取可能な可般式記憶媒体への書込み機構をラベル発行装置に設け、この書込み機構を作動させて可般式記憶媒体に産地別加算メモリ３３のデータを出力してもよい。こうすることにより、上位コンピュータ以外のコンピュータを利用して産地別加算メモリ３３のデータを詳細に分析することができる。
【００３０】
また、商品指定手段及び産地指定手段をいずれもキーボードで品番並びに産地コードを指定するものとして説明したが、スキャナ，タッチパネル等の入力デバイスを利用してラベル発行対象商品の品番や産地コードを指定するようにしてもよい。
【００３１】
また、本発明は計量ラベル発行装置に限定されるものではなく、ロードセルユニットを持たないラベル発行装置にも同様にして適用できるものである。
【００３２】
【発明の効果】
以上詳述したように、本発明によれば、ラベルに印字された産地別にそのラベルの発行実績を正確に管理でき、商品の産地をごまかす不正の防止に役立つラベル発行装置を提供できる。
【図面の簡単な説明】
【図１】本発明の一実施の形態において発行されるラベルの一例を示す図。
【図２】同実施の形態におけるラベル発行装置の要部構成を示すブロック図。
【図３】同ラベル発行装置のＲＡＭに形成される主要なメモリエリアを示す図。
【図４】同ラベル発行装置のＣＰＵが実行するラベル発行制御の処理手順を示す流れ図。
【図５】同ラベル発行装置のディスプレイ装置に表示される産地別実績データ一覧画面の一例を示す図。
【符号の説明】
１ａ，１ｂ…ラベル
１１…ＣＰＵ
１３…ＲＯＭ
１４…ＲＡＭ
１６…通信インタフェース
１７…キーボード
１９…ディスプレイ装置
２１…プリンタ
２３…ロードセルユニット
３１…品番ファイル
３２…産地テーブル
３３…産地別加算メモリ
【図１】
2004010090.tif 000003
【図２】
2004010090.tif 000004
【図３】
2004010090.tif 000005
【図４】
2004010090.tif 000006
【図５】
2004010090.tif 000007